(57)【要約】【課題】  液晶表示装置において、アース金具などを余分に用いないにもかかわらず、人体の静電気が飛び込んだ場合にその静電気を縁枠部材から背板部材に導くことができるようにして液晶パネルに悪影響が及ぶことを防ぐ。【解決手段】  樹脂製の枠フレーム１を挟む両側に、液晶パネル５を枠フレーム１に挾み込む金属製の縁枠部材６と、回路基板２００を装備した金属製の背板部材８とを配備し、それらを枠フレーム１にビス止めする。枠フレーム１のフランジ１２の同一箇所を挟む両側に、縁枠部材６側の第１突片６２と背板部材８側の第２突片８３とを配備し、それらの各突片６２，８３とを頭付きビスでなるビス１０で締め付け、それらの各突片６２，８３及びビス１０によって、縁枠部材６を背板部材８に電気的に導通させるアース電路を形成する。【選択図】        図１
2006350217.tif 000002
【特許請求の範囲】
【請求項１】
略矩形環状の樹脂製の枠フレームを挟んで、その両側に、テレジジョン受像機用の液晶パネルの周囲を取り囲んでその液晶パネルを上記枠フレームとの間に挾み込む金属製の縁枠部材と、その縁枠部材よりも厚肉に形成されて回路基板を装備した金属製の背板部材とが、その枠フレームに対してビス止めされた状態で配備され、それらの縁枠部材と背板部材とが、それらに個別にビス止めしたアース金具によって電気的に導通されている液晶表示装置において、
上記枠フレームがその４つの辺部に跨がって延びるフランジを有し、上記縁枠部材が上記枠フレームの１つの対辺方向の両側の２つの辺部で上記フランジに個別にビス止めされ、略矩形に形成された上記背板部材にはその背板部材の１つの対辺方向の両側だけに具備された取付片が、上記枠フレームの他の１つの対辺方向の両側の２つの辺部で上記フランジに個別にビス止めされていると共に、上記回路基板と上記液晶パネルの電極とを接続する中継基板が、上記背板部材の上記取付片を有する片側の辺部に沿って配備され、
上記アース金具とそのアース金具を上記縁枠部材と背板部材とにビス止めしている取付けビスを省略することに代えて、上記フランジの同一箇所を挟む両側に、上記縁枠部材に連設された第１突片と上記背板部材の上記取付片を有する他側の辺部に連設された第２突片とが配備され、その第２突片に形成されているねじ孔に、上記第１突片に開設されているビス挿通孔と上記フランジに開設されている貫通孔とに挿通させた頭付きビスでなるビスがねじ込まれ、かつ、そのビスによって上記縁枠部材と上記背板部材とが上記フランジに対して締め付けられてそのフランジにビス止めされていると共に、それらの各突片及びビスが、上記縁枠部材を上記背板部材に電気的に導通させるアース電路を形成していることを特徴とする液晶表示装置。
【請求項２】
樹脂製の枠フレームを挟んで、その両側に、液晶パネルの周囲を取り囲んでその液晶パネルを上記枠フレームとの間に挾み込む金属製の縁枠部材と、回路基板を装備した金属製の背板部材とが、その枠フレームに対してビス止めされた状態で配備されている液晶表示装置において、
上記枠フレームに具備されたフランジの同一箇所を挟む両側に、上記縁枠部材に連設された第１突片と上記背板部材に連設された第２突片とが配備されていて、それらの第１突片と第２突片とが、上記フランジに開設されている貫通孔を挿通するビスで上記フランジに対して締め付けられていると共に、それらの各突片及びビスが、上記縁枠部材を上記背板部材に電気的に導通させるアース電路を形成していることを特徴とする液晶表示装置。
【請求項３】
上記第１突片及び上記第２突片の一方側にビス挿通孔が開設され、他方側にねじ孔が形成されていて、それらの各突片と上記フランジとの重なり箇所で上記ビス挿通孔と上記貫通孔とに挿通された頭付きビスでなる上記ビスが上記ねじ孔にねじ込まれている請求項２に記載した液晶表示装置。
【請求項４】
略矩形環状の上記枠フレームにその４つの辺部に跨がって延びる上記フランジが具備されているのに対し、上記縁枠部材が、上記枠フレームの１つの対辺方向の両側の２つの辺部で上記フランジに個別にビス止めされ、略矩形に形成された上記背板部材にはその背板部材の１つの対辺方向の両側だけに取付片が備わり、それらの取付片が、上記枠フレームの他の１つの対辺方向の両側の２つの辺部で上記フランジに個別にビス止めされている請求項２又は請求項３に記載した液晶表示装置。
【請求項５】
上記回路基板と上記液晶パネルの電極とを接続する中継基板が、上記背板部材の１つの辺部に沿って配備され、その辺部に対する対辺方向反対側の背板部材の他の１つの辺部に上記第２突片が連設されている請求項４に記載した液晶表示装置。
【請求項６】
上記アース電路を形成している上記ビスに、縁枠部材と背板部材とを上記フランジにビス止めする機能を付与してある請求項２ないし請求項５のいずれか１項に記載した液晶表示装置。
【発明の詳細な説明】
【技術分野】
【０００１】
本発明は、たとえばテレビジョン受像機に採用される液晶表示装置、特に、液晶パネルの周囲に配備されるベゼルと呼ばれる金属製の縁枠部材を、その液晶パネルの背部に配備されるリアフレームと呼ばれる金属製の背板部材に電気的に導通させることによって、人体の静電気が液晶パネルや制御用の回路基板などに悪影響を及ぼすことを防ぐ対策を講じた液晶表示装置に関する。
【背景技術】
【０００２】
従来、カメラの分野で用いられる液晶表示装置として、液晶表示器の下に配備した導電性部材を介して装置本体のアースに接続するという技術が知られていた（たとえば、特許文献１参照）。また、同じくカメラの分野において、液晶表示パネルをフロントケースとリアケースとの間に挟持させ、それら両ケースに、互いに接触する導電性端面を具備させてアースコンタクトを形成することや（たとえば、特許文献２参照）、カーナビゲーションシステムに採用される小型液晶表示装置においては、、液晶モジュールの両側に金属製カバーと背面ケースとを配備し、金属製カバーに設けたアース端子を、液晶駆動回路の一面に設けたアース接点に弾性接触させることが知られている（たとえば、特許文献３参照）。さらに、カメラの分野において、電気配線基板に載置したＬＣＤ組立体のＬＣＤパネルの周縁に外装カバーの表示窓を嵌め込み、その表示窓の輪郭で押さえ込んだバネ構造のアース片をアース面に押接して静電破壊を防ぐ技術も提案されている（たとえば、特許文献４参照）。
【０００３】
上掲の各特許文献によって提案されている技術は、カメラやカーナビゲーションに用いられる小型の液晶表示装置についての静電気対策を提案しているに過ぎず、そのような技術を、それに比べて大形に構成されることが多いテレビジョン受像機用の液晶表示装置にそのまま適用することはできない。すなわち、テレビジョン受像機などに用いられる１５インチあるいは２０インチといったサイズの液晶表示装置では、液晶モジュールによって構成される液晶パネルを直接にフロントケースとリアケースとによって挟持させることができない。すなわち、テレビジョン受像機に用いられる液晶パネルでは、バックライトとしての光源の設置スペースを液晶パネルの背部に確保したり、液晶パネル補強用構造体を設けたりすることなどが必要になるため、それらに役立つ枠フレームを液晶パネルの背部に設けることが必要になる。この種の液晶表示装置の参考例を図６を参照して次に説明する。
【０００４】
図６は参考例による液晶表示装置の要部を示した概略分解斜視図である。この液晶表示装置は、略矩形環状の樹脂成形体でなる枠フレーム１を挟んで、その両側に、テレジジョン受像機用の液晶パネル５の周囲を取り囲んでその液晶パネル５を枠フレーム１との間に挾み込む金属製の縁枠部材（ベゼル）６と、その縁枠部材６よりも厚肉に板金を用いて形成された背板部材（リアフレーム）８とが配備されていて、背板部材８の外面側には、液晶パネルを駆動することなどに用いられる回路基板（不図示）が取り付けられている。そして、縁枠部材６がビス３を用いて複数箇所で枠フレーム１に固定され、同様に、背板部材８が図示していないビスを用いて複数箇所で枠フレーム１に固定されていた。なお、図６において、９は横長の中継基板で、この中継基板９は、背板部材８に取り付けられた上記回路基板と液晶パネル５の電極とを接続するために必要とされ、背板部材８の一辺、具体的には上辺に沿って配備される。
【０００５】
以上の構成を有する液晶表示装置では、人体の静電気が飛び込んで液晶パネル５に悪影響を及ぼすことを防ぐための対策として、液晶パネル５を枠フレーム１に固定している縁枠部材６を活用することが有益であることが判っている。
【０００６】
しかしながら、１５インチ程度の比較的小サイズの液晶表示装置では、液晶パネル５の上辺部に電極（不図示）が位置していて、その電極と横長の中継基板９とを接続するフレキシブル配線基板（不図示）の設置スペースを縁枠部材６の上辺部に確保することが要求される。そのためなどにより、図６で判るように、縁枠部材６は左右の辺部だけが枠フレーム１にビス止めしている。これに対し、背板部材８は、その上辺部と下辺部とにだけ取付片８１，８２を有し、それらの取付片８１，８２を枠フレーム１にビス止めすることによって必要な取付強度を確保するようにし、その左右の側辺部には取付片を設けないようにして材料歩留りを高め、コストダウンを図っている。これらのことから、人体の静電気を縁枠部材６で集めて背板部材８に逃がし、さらに、背板部材８からそれに取り付けられている回路基板のアースパターンに逃がすようにするためには、どうしてもアース金具１００が余分に必要になるものと考えられた。
【０００７】
そして、この用途に用いられるアース金具１００は、図７のように板金を複雑な形状に曲げ加工することによって形成されていて、その一端部１１０が図６のように上記ビス３の１つを用いて縁枠部材６に共締めされ、その他端部１２０が図６のようにビス４を用いて背板部材８に結合される。
【０００８】
この構成の液晶表示装置において、縁枠部材６は、当該液晶表示装置の設置箇所に人体の静電気が飛び込んだ場合に、その静電気を導通させて液晶パネル５に悪影響が及ぶことを防ぐことに役立つ。すなわち、人体の静電気が当該液晶表示装置の設置箇所に飛び込むと、その静電気が縁枠部材６、アース板１００、背板部材８、上記回路基板をこの順に導通してＡＣ電源コードに流れ、接地側へ逃がされる。
【特許文献１】特開２００３−８４２６１号公報
【特許文献２】特開２０００−１９４９１号公報
【特許文献３】特開２００４−２６４３４２号公報
【特許文献４】特開２００４−２５２１８５号公報
【発明の開示】
【発明が解決しようとする課題】
【０００９】
しかしながら、図６を参照して説明した参考例によると、縁枠部材６を枠フレーム１に固定するためのビス３でアース金具１００をその縁枠部材６に共締めしてはいるものの、複雑な形状のアース金具１００やそのアース金具１００を背板部材８に結合しているビス４が必要である。そのため、上記したように背板部材８の左右の側辺部から取付片を無くしてその材料歩留りを高め、コストダウンを図ったとしても、アース金具やその取り付けのためのビスが余分に必要になるために、背板部材８の材料歩留りによるコストダウンの効果がアース金具などの余分に必要になる部品によって減殺されてしまうおそれがある。
【００１０】
本発明は以上の状況に鑑みてなされたものであり、アース金具やアース金具を取り付けるためのビスを余分に用いる必要を無くすることができるにもかかわらず、人体の静電気が飛び込んだ場合にその静電気を縁枠部材から背板部材に導くことができるようにして液晶パネルに悪影響が及ぶことを防ぐことのできる液晶表示装置を提供することを目的とする。
【００１１】
また、本発明は、上記したように背板部材の左右の側辺部から取付片を無くした場合であっても、上記したアース金具などの余分な部品を用いることなく、静電気を縁枠部材から背板部材に導くことができるようにして液晶パネルに悪影響が及ぶことを防ぐことのできる液晶表示装置を提供することを目的とする。
【００１２】
さらに、本発明は、縁枠部材を背板部材に電気的に導通させるアース電路をビスによって形成させることができるようにすると共に、そのビスを、縁枠部材や背板部材の枠フレームへの取付強度を高めることに役立たせることのできる液晶表示装置を提供することを目的とする。
【００１３】
さらに、本発明は、特に１５インチ程度の比較的小サイズの液晶パネルへの静電気の影響を、その液晶パネルの取付強度を損なうことなく有効に防ぐことのできる液晶表示装置を提供することを目的とする。
【課題を解決するための手段】
【００１４】
本発明に係る液晶表示装置は、樹脂製の枠フレームを挟んで、その両側に、液晶パネルの周囲を取り囲んでその液晶パネルを上記枠フレームとの間に挾み込む金属製の縁枠部材と、回路基板を装備した金属製の背板部材とが、その枠フレームに対してビス止めされた状態で配備されている。そして、上記枠フレームに具備されたフランジの同一箇所を挟む両側に、上記縁枠部材に連設された第１突片と上記背板部材に連設された第２突片とが配備されていて、それらの第１突片と第２突片とが、上記フランジに開設されている貫通孔を挿通するビスで上記フランジに対して締め付けられていると共に、それらの各突片及びビスが、上記縁枠部材を上記背板部材に電気的に導通させるアース電路を形成している。
【００１５】
この構成であると、人体の静電気が当該液晶表示装置の設置箇所に飛び込んだ場合に、その静電気が縁枠部材に流れた後、第１及び第２の各突片及びビスによって形成されているアース電路を通って背板部材に逃がされるので、液晶パネルに静電気による悪影響が及ぶことを防止することが可能になる。したがって、図６や図７で説明したアース金具１００やそれを取り付けるためのビスを用いる必要がなくなる。
【００１６】
本発明では、上記第１突片及び上記第２突片の一方側にビス挿通孔が開設され、他方側にねじ孔が形成されていて、それらの各突片と上記フランジとの重なり箇所で上記ビス挿通孔と上記貫通孔とに挿通された頭付きビスでなる上記ビスが上記ねじ孔にねじ込まれているという構成を採用することが可能であり、これによれば、余分に必要になるビスが汎用的な頭付きビスであるためにそのビスが安価であるという利点がある。
【００１７】
本発明では、略矩形環状の上記枠フレームにその４つの辺部に跨がって延びる上記フランジが具備されているのに対し、上記縁枠部材が、上記枠フレームの１つの対辺方向の両側の２つの辺部で上記フランジに個別にビス止めされ、略矩形に形成された上記背板部材にはその背板部材の１つの対辺方向の両側だけに取付片が備わり、それらの取付片が、上記枠フレームの他の１つの対辺方向の両側の２つの辺部で上記フランジに個別にビス止めされていることが望ましい。これによれば、背板部材に他の１つの対辺方向の両側に取付片を設けていないために、その背板部材の材料歩留りが高まり、そのことが、上記アース電路の安価な構成と相まってコストダウンが顕著に促進されるようになる。この発明は、特に、背板部材の２つの辺部だけに設けた取付片を枠フレームにビス止めすることによって必要な取付強度を確保することができる液晶表示装置、たとえば、１５インチ程度の比較的小サイズの液晶パネルを採用した液晶表示装置に有利に適用することができる。
【００１８】
本発明では、上記回路基板と上記液晶パネルの電極とを接続する中継基板が、上記背板部材の１つの辺部に沿って配備され、その辺部に対する対辺方向反対側の背板部材の他の１つの辺部に上記第２突片が連設されていることが望ましい。これによれば、縁枠部材に流れた静電気が中継基板から遠ざかる方向に流れることになるので、中継基板の周囲に静電気が集まって悪影響を及ぼすという事態が軽減される。すなわち、静電気の逃がし効率が向上する。
【００１９】
本発明では、上記アース電路を形成している上記ビスに、縁枠部材と背板部材とを上記フランジにビス止めする機能を付与してある、という構成を採用することも可能であり、これによれば、縁枠部材と背板部材とを上記フランジにビス止めする箇所を増やさずに枠フレームに対するそれらの取付強度を高めることが可能になる。
【００２０】
本発明に係る液晶表示装置は、略矩形環状の樹脂製の枠フレームを挟んで、その両側に、テレジジョン受像機用の液晶パネルの周囲を取り囲んでその液晶パネルを上記枠フレームとの間に挾み込む金属製の縁枠部材と、その縁枠部材よりも厚肉に形成されて回路基板を装備した金属製の背板部材とが、その枠フレームに対してビス止めされた状態で配備され、それらの縁枠部材と背板部材とが、それらに個別にビス止めしたアース金具によって電気的に導通されている液晶表示装置において、上記枠フレームがその４つの辺部に跨がって延びるフランジを有し、上記縁枠部材が上記枠フレームの１つの対辺方向の両側の２つの辺部で上記フランジに個別にビス止めされ、略矩形に形成された上記背板部材にはその背板部材の１つの対辺方向の両側だけに具備された取付片部が、上記枠フレームの他の１つの対辺方向の両側の２つの辺部で上記フランジに個別にビス止めされていると共に、上記回路基板と上記液晶パネルの電極とを接続する中継基板が、上記背板部材の上記取付片部を有する片側の辺部に沿って配備され、上記アース金具とそのアース金具を上記縁枠部材と背板部材とにビス止めしている取付けビスを省略することに代えて、上記フランジの同一箇所を挟む両側に、上記縁枠部材に連設された第１突片と上記背板部材の上記取付片部を有する他側の辺部に連設された第２突片とが配備され、その第２突片に形成されているねじ孔に、上記第１突片に開設されているビス挿通孔と上記フランジに開設されている貫通孔とに挿通させた頭付きビスでなるビスがねじ込まれ、かつ、そのビスによって上記縁枠部材と上記背板部材とが上記フランジに対して締め付けられてそのフランジにビス止めされていると共に、それらの各突片及びビスが、上記縁枠部材を上記背板部材に電気的に導通させるアース電路を形成している、という構成を採用することによっていっそう具体化される。この発明の作用は後述する実施形態を参照して詳細に説明する。
【発明の効果】
【００２１】
以上説明したように、本発明によれば、縁枠部材に設けた第１突片と背板部材に設けた第２突片とをビスで枠フレームのフランジに締め付けるだけでアース電路が形成され、そのアース電路を介して縁枠部材に流れた静電気を背板部材に逃がすことができるようになるので、図６で説明したアース金具やそれを取り付けるためのビスを省略しても液晶パネルに静電気による悪影響が及びにくくなる。したがって、ユーザは、ユーザ自身の静電気が液晶パネルに悪影響を及ぼすことを心配せずに使用することができるようになる。また、アース金具やそれを取り付けるためのビスを省略すると、それに見合って必要部品点数が減少し、それだけコストダウンを図りやすくなり、特に、背板部材に２つの辺部だけに取付片を連設し、他の２つの辺部から取付片を無くしてその背板部材の材料歩留りを高めてある場合には、その背板部材を安く製作することができるようになることと相まって顕著なコストダウンを図ることが可能になる。そのほか、上記したアース電路を形成するビスを、縁枠部材や背板部材の枠フレームへの取付強度を高めることに役立たせることが可能であり、そのように構成したものでは、縁枠部材や背板部材を枠フレームに取り付けることに用いるビスの数を増やさずにそれらの取付強度を向上させることができるという利点がある。
【発明を実施するための最良の形態】
【００２２】
図１は本発明に係る液晶表示装置の要部の概略分解斜視図、図２は同液晶表示装置の正面図、図３は同液晶表示装置の背面図、図４は図３のＩＶ−ＩＶ線に沿う部分の拡大断面図、図５は図３の矢視ＶＩＩＩ方向から見た背板部材８の水平断面図である。
【００２３】
この実施形態の液晶表示装置は、１５インチ程度の比較的小サイズの液晶モジュールでなる矩形の液晶パネル５を用いたテレビジョン受像機用として形成されていて、図１のように、その主要な構成要素に、略矩形環状に形作られた樹脂製の枠フレーム１と、金属製の縁枠部材６と、金属製の背板部材８とを備えていて、図６や図７に示したアース金具１００やそれを取り付けるためのビス３，４は不要である。
【００２４】
枠フレーム１は、４つの辺部に跨がって延びるフランジ１２を有していて、図２及び図３に示したように、そのフランジ１２の上辺部分は両端を残してその中央部部分が欠除されている。
【００２５】
縁枠部材６は矩形環状に形作られていてその各辺部がＬ字形の断面形状を有し、枠フレーム１に載架された液晶パネル５の周囲に嵌め込まれてその液晶パネル５の全体を取り囲んでいると共に（図４参照）、上記枠フレーム１の左右の各辺部で、その枠フレーム１のフランジ１２に、図２に示したａ，ｂ，ｃ，ｄの４箇所でビス止めされている。これらのビス止め箇所ａ〜ｄでは、縁枠部材６の左右の辺部に連設されて外側方に突き出た舌片状の取付片６２のビス挿通孔に挿通させた取付ビス６ａを、フランジ１２に形成したねじ孔にねじ込んで締め付けてある。この構成により、液晶パネル５が枠フレーム１と縁枠部材６との間に挟み込まれて枠フレーム１に固定される。ここで、枠フレーム１の左右の各辺部は、枠フレーム１の１つの対辺方向の両側の２つの辺部に相当している。
【００２６】
これに対し、略矩形に形成された背板部材８は、図１又は図５のように平板材を曲げ加工することにより製作されている。また、背板部材８はその上辺部と下辺部とにだけ取付片８１，８２を備え、上辺部の取付片８１は両端を残してその中央部部分が欠除されている。そして、この背板部材８が、上記枠フレーム１を挟んで上記縁枠部材６の反対側でそのフランジ１２に、図３に示したｅ，ｆ，ｇ，ｈの４箇所でビス止めされている。これらのビス止め箇所ｅ〜ｈのうち、上側の左右のビス止め箇所ｅ，ｈでは、取付片８１のビス挿通孔に挿通させた取付ビス８ａを、枠フレーム１の上辺部で、フランジ１２に形成したねじ孔にねじ込んで締め付けてあり、下側の左右のビス止め箇所ｆ，ｇでは、取付片８２のビス挿通孔に挿通させた取付ビス８ａを、枠フレーム１の下辺部で、フランジ１２に形成したねじ孔にねじ込んで締め付けてある。ここで、枠フレーム１の上辺部と下辺部とは、枠フレーム１の他の１つの対辺方向の両側の２つの辺部に相当している。
【００２７】
ところで、この実施形態の液晶表示装置は、上記したように１５インチ程度の比較的小サイズの液晶モジュールでなる矩形の液晶パネル５を用いたテレビジョン受像機用として形成されているために、背板部材８もそれに見合う大きさに形成されている。そのため、この背板部材８の枠フレーム１に対する取付強度は、図３のように上下の４箇所のビス止め箇所ｅ，ｆ，ｇ，ｈを設けるだけで十分に確保される。そこで、この背板部材８では、その上辺部と下辺部とにだけ取付片８１，８２を具備させ、左右の辺部から取付片を無くすることによって材料歩留りを高め、その材料コストや製作コストを低減している。なお、必要に応じて、背板部材８の他の箇所を枠フレーム１にビス止めしておいてもよい。
【００２８】
図３のように、背板部材８はその外面側に上記した液晶パネル５を駆動する制御用の回路基板２００が取り付けられていて、その回路基板２００と液晶パネル５の上端に並んでいる電極（不図示）とが、背板部材８の上辺部で左右の取付片８１，８１の相互間空間（取付片８１の欠除箇所）に設置した横長の中継基板９を介して接続されている。このように背板部材８には、回路基板２００などの取付強度を確保することのできる十分に大きな剛性が付与されている必要があることから、その背板部材８は上記した縁枠部材６よりも厚肉の平板材を用いて製作されている。
【００２９】
次に、図２のように縁枠部材６に連設された第１突片６２と、図３のように背板部材８の下側の取付片８２を形成している部分と同一部分によって形成された第２突片８３とが、枠フレーム１の下辺部でそのフランジ１２の同一箇所を挟む両側に配備されている。そして、図４のように、第２突片８３に形成されているねじ孔８４に、第１突片６２に開設されているビス挿通孔６３とフランジ１２に開設されている貫通孔１３とに挿通させた汎用的で安価な頭付きビスでなるビス１０がねじ込まれている。このビス１０は、第１突片６２や第２突片８３と共働して縁枠部材６を背板部材８に電気的に導通させるアース電路を形成しているだけでなく、縁枠部材６と背板部材８とをフランジ１２に対して締め付けてそのフランジ１２にビス止めするという作用をも発揮している。この事例では、ビス１０がねじ込まれて締め付けられているねじ孔８４を、縁枠部材６よりも厚肉の背板部材８の第２突片８３に形成してあるので、ビス１０による十分な締付け力が得られて、縁枠部材６と背板部材８とが強固にフランジ１２に取り付けられるという利点がある。
【００３０】
以上のように構成された液晶表示装置によると、当該液晶表示装置の設置箇所に飛び込んだ人体の静電気が、液晶パネル５や回路基板２００、中継基板９などに悪影響を与えることなく縁枠部材６に流れ、その縁枠部材６から、ビス１０と第１突片６２と第２突片８３とによって形成されているアース電路を経て背板部材８に逃がされ、さらに、その背板部材８から回路基板２００のアースパターンを経て接地側に逃がされる。したがって、図６や図７で説明したアース金具１００やそれを取り付けるためのビス３，４を省略しているにもかかわらず、静電気による悪影響が液晶パネル５などに及ばない。特に、この実施形態では、背板部材８の上辺部に沿って中継基板９を配備しているのに対し、ビス１０と第１突片６２と第２突片８３とによって形成されているアース電路を、その反対側の背板部材８の下辺部に具備させてあるので、縁枠部材６に流れた静電気が中継基板９から遠ざかる方向に流れることになる。そのために、中継基板９の周囲に静電気が集まって悪影響を及ぼすという事態が軽減されて静電気の逃がし効率が向上するという利点がある。
【００３１】
以上では、１５インチ程度の比較的小サイズの液晶パネル５を備えたテレビジョン受像機用の液晶表示装置を例示したけれども、この実施形態と同様の構成を、２０インチという大サイズの液晶パネルを備えたテレビジョン受像機の液晶表示装置やその他のＡＶ機器の液晶表示装置に適用することは勿論可能である。
【図面の簡単な説明】
【００３２】
【図１】本発明に係る液晶表示装置の要部の概略分解斜視図である。
【図２】同液晶表示装置の正面図である。
【図３】同液晶表示装置の背面図である。
【図４】図３のＩＶ−ＩＶ線に沿う部分の拡大断面図である。
【図５】図３の矢視ＶＩＩＩ方向から見た背板部材の水平断面図である。
【図６】参考例に係る液晶表示装置の要部の概略分解斜視図である。
【図７】アース金具の拡大斜視図である。
【符号の説明】
【００３３】
１  枠フレーム
４  ビス
５  液晶パネル
６  縁枠部材
８  背板部材
９  中継基板
１０  ビス
１２  フランジ
１３  貫通孔
６２  第１突片
６３  ビス挿通孔
８１，８２  取付片
８３  第２突片
８４  ねじ孔
１００  アース金具
２００  回路基板
【図１】
2006350217.tif 000003
【図２】
2006350217.tif 000004
【図３】
2006350217.tif 000005
【図４】
2006350217.tif 000006
【図５】
2006350217.tif 000007
【図６】
2006350217.tif 000008
【図７】
2006350217.tif 000009